(57)【要約】【課題】高低の温度変化を見込んで、バッテリ装置の利用可能な残り電荷量を表示することが可能なバッテリ残量表示器を提供すること。【解決手段】記憶部は、各温度でのバッテリ装置の残り電荷量と端子間電圧との関係を記憶する。第１の処理部は、バッテリ装置の検出温度に基づき、記憶部からバッテリ装置の残り電荷量と端子間電圧との関係情報を取り出す。第２の処理部は、バッテリ装置が検出温度において検出端子間電圧を発生するときの現況残り電荷量を、上記情報の端子間電圧として該検出端子間電圧を代入し読み取る。第３、第４の処理部は、現況残り電荷量から、最低または最高使用温度でのバッテリ装置の放電終止時残り電荷量を表わす最悪または最良終止時残り電荷量を引くことにより、最悪または最良条件下利用可能残り電荷量を算出する。表示部は、最悪、最良条件下利用可能残り電荷量を表示する。【選択図】図１
2012047555.tif 000002
【特許請求の範囲】
【請求項１】
バッテリ装置の温度を検出する温度検出部と、
前記バッテリ装置の端子間電圧を検出する電圧検出部と、
各温度における前記バッテリ装置の、残り電荷量と端子間電圧との関係を記述する情報を記憶する記憶部と、
前記温度検出部により検出された前記バッテリ装置の検出温度に基づき、前記記憶部から、該検出温度における前記バッテリ装置の、残り電荷量と端子間電圧との関係を記述する情報を取り出す第１の処理部と、
前記バッテリ装置が前記検出温度において前記電圧検出部による検出端子間電圧を発生するときの、前記バッテリ装置の残り電荷量を現況残り電荷量として、該現況残り電荷量を、前記第１の処理部によって取り出された前記情報における前記端子間電圧として該検出端子間電圧を代入するようにして参照し読み取る第２の処理部と、
前記第２の処理部によって読み取られた前記バッテリ装置の現況残り電荷量から、前記バッテリ装置に設定されている放電終止電圧を前記バッテリ装置が発生するときの、最低使用温度での前記バッテリ装置の残り電荷量を表わす最悪終止時残り電荷量を差し引くことにより、最悪条件下利用可能残り電荷量を算出する第３の処理部と、
前記現況残り電荷量から、前記放電終止電圧を前記バッテリ装置が発生するときの、最高使用温度での前記バッテリ装置の残り電荷量を表わす最良終止時残り電荷量を差し引くことにより、最良条件下利用可能残り電荷量を算出する第４の処理部と、
前記第３の処理部によって算出された前記最悪条件下利用可能残り電荷量と、前記第４の処理部によって算出された前記最良条件下利用可能残り電荷量とを表示する表示部と
を具備することを特徴とするバッテリ残量表示器。
【請求項２】
前記バッテリ装置が前記検出温度において前記放電終止電圧を発生するときの、前記バッテリ装置の残り電荷量を現況終止時残り電荷量として、該現況終止時残り電荷量を、前記第１の処理部によって取り出された前記情報における前記端子間電圧として該放電終止電圧を代入するようにして参照し読み取る第５の処理部と、
前記現況残り電荷量から、前記第５の処理部によって読み取られた前記バッテリ装置の現況終止時残り電荷量を差し引くことにより、現況条件下利用可能残り電荷量を算出する第６の処理部と、をさらに具備し、
前記表示部が、前記第６の処理部によって算出された前記現況条件下利用可能残り電荷量をも表示すること
を特徴とする請求項１記載のバッテリ残量表示器。
【請求項３】
前記電圧検出部が、前記検出温度に基づき、前記バッテリ装置に電流入出力していないときに得られる前記検出端子間電圧から、前記バッテリ装置の放電時端子間電圧を推定し、この推定による放電時端子間電圧を前記検出端子間電圧の代わりとして前記第２の処理部に渡すことを特徴とする請求項１記載のバッテリ残量表示器。
【請求項４】
バッテリ装置の現況残り電荷量から、前記バッテリ装置に設定されている放電終止電圧を前記バッテリ装置が発生するときの、最低使用温度での前記バッテリ装置の残り電荷量を表わす最悪終止時残り電荷量を差し引くことにより得られる最悪条件下利用可能残り電荷量を表示するための第１の機能部と、
前記現況残り電荷量から、前記放電終止電圧を前記バッテリ装置が発生するときの、最高使用温度での前記バッテリ装置の残り電荷量を表わす最良終止時残り電荷量を差し引くことにより得られる最良条件下利用可能残り電荷量を表示するための第２の機能部と
を具備することを特徴とするバッテリ残量表示器。
【発明の詳細な説明】
【技術分野】
【０００１】
本発明の実施形態は、バッテリ装置の残り電荷量を表示するバッテリ残量表示器に関する。
【背景技術】
【０００２】
バッテリ装置を有している電子機器（例えば携帯電話、ノート型パソコン）や輸送用機器（例えばＥＶ）などでは、そのバッテリ装置の残り電荷量に対応する量（残量）が表示手段に表示されるようになっている場合が多い。この表示内容を目安にユーザは、バッテリ装置の交換や充電などの、予測される必要性をあらかじめ認識し対処することができる。
【０００３】
しかしながら、バッテリ装置は一般に、使用条件、特に使用温度条件により、利用（取り出し）可能な残り電荷量が異なり、高温の場合より低温になるほど、利用可能な残り電荷量という意味で残量は小さくなる。したがって、このような環境変化を考慮して、表示器では一般に、安全側を見て実際より少ない残量の表示を行うことがなされている。これによれば、表示上は残量があるが、実際は残量ゼロで機器を使用できないというような最悪の事態は回避できる。
【０００４】
しかしながら、今度は、残量なしと表示される場合のほとんどが、実際は利用可能な残り電荷量がある場合になるため、表示器に対するユーザの信頼が十分なものとはならず、不信や誤解を招くことになり兼ねない。これでは、ユーザにとって必要な表示器としての本来的機能が損なわれてしまう。
【先行技術文献】
【特許文献】
【０００５】
【特許文献１】特開２００９−１２８１２８号公報
【発明の概要】
【発明が解決しようとする課題】
【０００６】
本発明は、高低の温度変化を見込んで、バッテリ装置の利用可能な残り電荷量を表示することが可能なバッテリ残量表示器を提供することを目的とする。
【課題を解決するための手段】
【０００７】
実施形態のバッテリ残量表示器は、温度検出部と、電圧検出部と、記憶部と、第１、第２、第３、第４の処理部と、表示部とを持つ。温度検出部は、バッテリ装置の温度を検出する。電圧検出部は、前記バッテリ装置の端子間電圧を検出する。記憶部は、各温度における前記バッテリ装置の、残り電荷量と端子間電圧との関係を記述する情報を記憶する。
【０００８】
第１の処理部は、前記温度検出部により検出された前記バッテリ装置の検出温度に基づき、前記記憶部から、該検出温度における前記バッテリ装置の、残り電荷量と端子間電圧との関係を記述する情報を取り出す。第２の処理部は、前記バッテリ装置が前記検出温度において前記電圧検出部による検出端子間電圧を発生するときの、前記バッテリ装置の残り電荷量を現況残り電荷量として、該現況残り電荷量を、前記第１の処理部によって取り出された前記情報における前記端子間電圧として該検出端子間電圧を代入するようにして参照し読み取る。
【０００９】
第３の処理部は、前記第２の処理部によって読み取られた前記バッテリ装置の現況残り電荷量から、前記バッテリ装置に設定されている放電終止電圧を前記バッテリ装置が発生するときの、最低使用温度での前記バッテリ装置の残り電荷量を表わす最悪終止時残り電荷量を差し引くことにより、最悪条件下利用可能残り電荷量を算出する。第４の処理部は、前記現況残り電荷量から、前記放電終止電圧を前記バッテリ装置が発生するときの、最高使用温度での前記バッテリ装置の残り電荷量を表わす最良終止時残り電荷量を差し引くことにより、最良条件下利用可能残り電荷量を算出する。
【００１０】
表示部は、前記第３の処理部によって算出された前記最悪条件下利用可能残り電荷量と、前記第４の処理部によって算出された前記最良条件下利用可能残り電荷量とを表示する。
【００１１】
また、別の実施形態であるバッテリ残量表示器は、第１の機能部と第２の機能部とを持つ。第１の機能部は、バッテリ装置の現況残り電荷量から、前記バッテリ装置に設定されている放電終止電圧を前記バッテリ装置が発生するときの、最低使用温度での前記バッテリ装置の残り電荷量を表わす最悪終止時残り電荷量を差し引くことにより得られる最悪条件下利用可能残り電荷量を表示する。第２の機能部は、前記現況残り電荷量から、前記放電終止電圧を前記バッテリ装置が発生するときの、最高使用温度での前記バッテリ装置の残り電荷量を表わす最良終止時残り電荷量を差し引くことにより得られる最良条件下利用可能残り電荷量を表示する。
【図面の簡単な説明】
【００１２】
【図１】実施形態のバッテリ残量表示器の構成を示すブロック図。
【図２】図１中に示した記憶部４に記憶される情報の構成例を示す説明図。
【図３】バッテリ装置（単位セル）の、温度で変化する内部抵抗を説明するための構成図。
【図４】図１中に示した処理部３における処理内容例を示す、ＳＯＣ（state of charge）対電圧の特性グラフによる説明図。
【図５】図１中に示した電圧検出部２の変形例を示すブロック図。
【発明を実施するための形態】
【００１３】
以上を踏まえ、以下では実施形態のバッテリ残量表示器を図面を参照しながら説明する。図１は、実施形態のバッテリ残量表示器の構成を示すブロック図である。図１に示すように、このバッテリ残量表示器は、温度検出部１、電圧検出部２、処理部３、記憶部４、表示部５を有する。残量表示の対象となるバッテリ装置１００には、温度検出のためのセンサとしてサーミスタ１０１が設けられている。
【００１４】
バッテリ装置１００は、２次電池である例えばリチウムイオン電池のセル（単位セル）が電気的に複数接続された装置である。もちろん単位セルが１つのみであるバッテリ装置が残量表示の対象として排除されるわけではない。サーミスタ１０１は、バッテリ装置１００の温度を検知すべくバッテリ装置１００に被着されている。
【００１５】
温度検出部１は、温度センサであるサーミスタ１０１の電気抵抗変化による電気信号からバッテリ装置１００の温度を検出する。温度検出部１による検出温度は、処理部３に渡される。
【００１６】
電圧検出部２は、バッテリ装置１００の端子間電圧（測定対象端子間電圧）を検出する電圧計である。この端子間電圧は、複数の単位セルのうちから代表されるいずれかひとつの単位セルについての正極負極端子間電圧、またはバッテリ装置１００全体についての正極負極端子間電圧、いずれも考えられる。さらには、もう少し複雑に、電気的に接続された一部の複数の単位セルについての正極負極端子間電圧とすることや、多数の単位セルそれぞれについての正極負極端子間電圧をおのおの捉えそれらを平均化して得た正極負極端子間電圧とすることも考えられる。電圧検出部２による検出端子間電圧は処理部３に渡される。
【００１７】
電圧検出部２の時間方向の動作としては、時々刻々の検出端子間電圧をそのまま出力する以外に、次のような出力方法もあり得る。例えば、過去一定時間（例えば１分間）内で平均化した検出端子間電圧を、順次（例えば０．２秒ごとに）出力するというような方法である。これによれば、ノイズと考えてもよい電圧変化情報の影響をほぼ取り去るように、検出端子間電圧を刻々と出力することができる。
【００１８】
処理部３は、まず、温度検出部１による検出温度に基づき、記憶部４から、この検出温度におけるバッテリ装置１００（ただし測定対象端子間）の、残り電荷量（ＳＯＣ：state of charge）と放電時端子間電圧との関係を記述する情報（テーブル）を取り出す（処理３ａ）。
【００１９】
記憶部４に記憶された、残り電荷量と放電時端子間電圧との関係を記述する情報は、例えば図２に示すような縦横テーブル構成の情報である。すなわち、バッテリ装置１００の最高使用温度から最低使用温度までを少なくも含む温度範囲における、残り電荷量（ＳＯＣ）［％］それぞれにおける放電時端子間電圧を示した情報である。表の行ごとに温度が刻まれ（図２の場合は５℃の刻み）、また表の列ごとに残り電荷量が刻まれている（図２の場合は５％の刻み）。
【００２０】
図２で言うＳＯＣは、利用（取り出し）可能な電荷量という意味ではなく、電荷を貯めた電池内部の化学的な状態を指した量である。表中の各電圧は、電圧検出部２が検出の対象とする測定対象端子間の電圧に応じた電圧値としてあらかじめ記録されている。すなわち、検出対象が単位セルひとつであれば、ひとつの単位セルについての（放電時）端子間電圧が記録されている。検出対象が複数接続された単位セルについての電圧であれば、その複数接続された単位セルについての（放電時）端子間電圧が記録されている。図２に示すような電圧情報は、バッテリ装置１００に依存してあらかじめ与えられている、バッテリ装置１００（またはその特定の測定対象端子間）の仕様とも言える情報である。
【００２１】
バッテリ装置一般において、温度によって残り電荷量対電圧の特性が変化するのは、主に、単位セルそれぞれの等価的な内部抵抗が変化する（低温ほど大になる）からである。これにより、図３に示すように、放電時に放電電流が流れて生じる、内部抵抗ｒｉによる電圧降下は、低温ほど大きくなり、よって端子間電圧は低下する。
【００２２】
したがって、ある一定の端子間電圧（＝放電終止電圧）までバッテリ装置を使うとすると、同じ残り電荷量（ＳＯＣ）であっても、低温で用いるほど、利用（取り出し）可能な残り電荷量という意味の残り電荷量は少なくなる。ちなみに、充電時は、充電電流が流れて生じる、内部抵抗ｒｉによる電圧降下は、高温ほど小さくなるので、同じ充電終止電圧まで充電するならばその分多くの電荷を貯められる。
【００２３】
図２に示した電圧情報は、定格放電電流時での端子間電圧を記述したものとしている。類似する情報として、一般的に、開回路のとき（すなわち電流の入出力がないとき）の端子間電圧を記述した情報や、ある一定の（例えば定格の）充電電流時に得られる端子間電圧を記述した情報があるが、図２のような情報を使用すれば、バッテリ装置１００を放電して使っている場合のバッテリ残量を求めるのにもっとも便宜があり使いやすい。なお、バッテリ装置１００が使われているときの実際的、平均的な放電電流に応じて、定格放電電流時でなく、別の放電電流時の端子間電圧を記述したテーブルを用いるようにしてもよい。
【００２４】
処理３ａで取り出されるテーブルは、図２に示される縦横テーブルのうちの、温度検出部１による検出温度における、残り電荷量ＳＯＣと放電時端子間電圧との関係を表わす一行の情報である。温度検出部１による検出温度に一致する温度が図２に示すテーブルに存在しない場合には、例えば図２中に示す電圧値を内挿する処理を行い求めた情報を使用することができる。より簡略に済ます場合には、もっとも近い温度の場合を取り出して利用することができる。
【００２５】
処理部３は、次に、処理３ａによって取り出されたテーブルを用い、バッテリ装置１００の測定対象端子間電圧が、温度検出部１による検出温度において電圧検出部２による検出端子間電圧を発生するときの、バッテリ装置１００（ただし測定対象端子間）の残り電荷量（「現況残り電荷量」）を求める（処理３ｂ）。具体的には、処理３ａによって取り出されたテーブルにおける放電時端子間電圧としてこの検出端子間電圧を代入するようにして参照すれば読み取れる。
【００２６】
この処理３ｂを図４を参照して説明する。図４は、図１中に示した処理部３における処理内容例を示す、ＳＯＣ対電圧の特性グラフによる説明図である。処理３ａによって取り出されたテーブルは、横軸＝ＳＯＣ、縦軸＝放電時端子間電圧のグラフで示すと、図４中の「その温度でのＳＯＣ対電圧」に示すような曲線（詳細に見れば実際は折れ線）になる。したがって、この曲線上で、電圧検出部２による検出端子間電圧（１）を現出するときのＳＯＣ（２）を見ることで、上記の「現況残り電荷量」を読み取れる。
【００２７】
なお、電圧検出部２による検出端子間電圧にちょうど一致する電圧は、処理３ａが取り出したテーブル中にほとんどの場合存在しないので、その場合はそのテーブル中の電圧値を用いて内挿する処理を行いより正確なＳＯＣ（２）を「現況残り電荷量」として求めることができる。より簡略化する場合には、テーブル中でもっとも近い電圧を特定し、その電圧に対応するＳＯＣを読み取ればよい。
【００２８】
処理３ｂでは、随意的に、さらに、処理３ａによって取り出されたテーブルを用い、バッテリ装置１００の測定対象端子間電圧が、温度検出部１による検出温度において放電終止電圧を発生するときの、バッテリ装置１００（ただし測定対象端子間）の残り電荷量（「現況終止時残り電荷量」）を求める（＝ＳＯＣ０）。具体的には、「現況の残り電荷量」の読み取りの場合と同様に、処理３ａによって取り出されたテーブルにおける放電時端子間電圧としてこの放電終止電圧を代入するようにして参照すれば読み取れる（図４を参照）。内挿や簡略化しての読み取りについても上記と同様である。
【００２９】
なお、放電終止電圧は、バッテリ装置１００に依存してあらかじめ設定されている、バッテリ装置１００（またはその特定の測定対象端子間）の仕様とも言える電圧である。この実施形態で言う放電終止電圧は、定格放電電流時（または別の放電電流時）に対応した電圧になる。リチウムイオンの単位セルの場合であれば、その値は例えば３．０Ｖなどとすることができる。
【００３０】
処理部３は、次に、バッテリ装置１００の最低使用温度でのＳＯＣ対電圧の特性を記述するテーブルから、その放電終止電圧時のＳＯＣ（＝最悪終止時残り電荷量ＳＯＣ１とする）を読み取る（処理３ｃ）。「バッテリ装置１００の最低使用温度」は、バッテリ装置１００についてあらかじめ決めてある温度であり、例えば−２０℃である。ここで使用するテーブルは、記憶部４に記録されている情報から取り出すことができる。すなわち、図２に示した縦横テーブルから、例えば−２０℃の場合、１行分の、各ＳＯＣでの電圧を記述した部分を抜き出したテーブルである。
【００３１】
この処理３ｃを図４を参照して説明すると以下になる。バッテリ装置１００の最低使用温度でのＳＯＣ対電圧の特性は、図４中の「最低使用温度でのＳＯＣ対電圧」に示すような曲線（詳細に見れば実際は折れ線）になる。したがって、この曲線上で、放電終止電圧を現出するときのＳＯＣ（３）を読み取ることで、これが、この温度条件（−２０℃）下での放電終止電圧時のＳＯＣ（＝最悪終止時残り電荷量ＳＯＣ１）になる。この読み取りの時の内挿や簡略化については、ＳＯＣ（２）（「現況残り電荷量」）の読み取りで、すでに説明したとおりである。
【００３２】
図４中で「最低使用温度でのＳＯＣ対電圧」が「その温度でのＳＯＣ対電圧」の場合より全体的に電圧が低いのは、すでに説明したように、温度低下に伴い、単位セル内部の等価的抵抗（内部抵抗ｒｉ；図３参照）が、増加するためである。
【００３３】
処理部３は、さらに、バッテリ装置１００の最高使用温度でのＳＯＣ対電圧の特性を記述するテーブルから、その放電終止電圧時のＳＯＣ（＝最良終止時残り電荷量ＳＯＣ２とする）を読み取る（処理３ｄ）。「バッテリ装置１００の最高使用温度」は、その最低使用温度と同じように、バッテリ装置１００についてあらかじめ決めてある温度であり、例えば４５℃である。ここで使用するテーブルは、上記の処理の場合と同様に、記憶部４に記録されている情報から取り出すことができる。すなわち、図２に示した縦横テーブルから、例えば４５℃の場合、１行分の、各ＳＯＣでの電圧を記述した部分を抜き出す。
【００３４】
この処理３ｄを図４を参照して説明すると以下になる。バッテリ装置１００の最高使用温度でのＳＯＣ対電圧の特性は、図４中の「最高使用温度でのＳＯＣ対電圧」に示すような曲線（詳細に見れば実際は折れ線）になる。したがって、この曲線上で、放電終止電圧を現出するときのＳＯＣ（４）を読み取ることで、これが、この温度条件（４５℃）下での放電終止電圧時のＳＯＣ（＝最良終止時残り電荷量ＳＯＣ２）になる。この読み取りの時の内挿や簡略化については、ＳＯＣ（２）（「現況残り電荷量」）の読み取りで、すでに説明したとおりである。
【００３５】
なお、以上の処理３ｃ、処理３ｄは、記憶部４からテーブルを取り出し読み取るような処理をいちいちしなくても行うことが可能である。すなわち、「最低使用温度でのＳＯＣ対電圧」、「最高使用温度でのＳＯＣ対電圧」、「放電終止電圧」は、いずれも決められていて変更のないものであり、したがって、その意味で、図４中のＳＯＣ１、ＳＯＣ２のいずれも処理３ｃ、３ｄのたびに変更は生じない。よって、ＳＯＣ１、ＳＯＣ２をあらかじめ記憶、保持しておき、その保持されたＳＯＣ１、ＳＯＣ２を使用すれば足りる。
【００３６】
処理部３は、次に、「現況残り電荷量」−「最悪終止時残り電荷量ＳＯＣ１」の演算、および、「現況残り電荷量」−「最良終止時残り電荷量ＳＯＣ２」の演算を行い、さらに、随意的に「現況終止時残り電荷量」が求められている場合には、「現況残り電荷量」−「現況終止時残り電荷量」の演算を行う（処理３ｅ）。
【００３７】
「現況残り電荷量」−「最悪終止時残り電荷量ＳＯＣ１」は、最悪条件下利用可能残り電荷量（図４でＭＩＮ）を求めていることになる。「現況残り電荷量」−「最良終止時残り電荷量ＳＯＣ２」は、最良条件下利用可能残り電荷量（図４でＭＡＸ）を求めていることになる。また、「現況残り電荷量」−「現況終止時残り電荷量」は、現況条件下利用可能残り電荷量（図４でＴＹＰ）を求めていることになる。
【００３８】
そこで、表示部５は、少なくとも、上記のＭＩＮおよびＭＡＸの大きさをそれぞれインジケートする表示を行う。表示部５は、このように、最悪条件下利用可能残り電荷量と最良条件下利用可能残り電荷量とを表示するための機能部を有している。具体的には、例えば、指針を２つ持った表示計であり、指針がそれぞれ、上記のＭＩＮとＭＡＸの大きさを指し示すように構成されている。または、液晶画面を用いて同等の表示や、図１中に図示するように、上記のＭＩＮとＭＡＸの大きさに対応して帯内を色違いで示すような表示とすることも例として挙げられる。
【００３９】
表示部５は、処理部３で、現況条件下利用可能残り電荷量ＴＹＰが求められている場合には、これに対応するインジケートも同時に（または場合により）行うようにすることができる。
【００４０】
この実施形態によれば、高低の温度変化を見込んで、バッテリ装置１００の利用可能な残り電荷量を表示することができる。ユーザは、このような表示により、最悪条件下の残量、最良条件下の残量を同時に把握することができる。したがって、ユーザはＭＩＮの表示を見ておけば、表示上は残量があるが実際は残量ゼロであり機器を使用できないというような最悪の事態を当然に回避できる。加えて、ＭＩＮの表示およびＭＡＸの表示は、上記説明したその算出の方法に依拠して、条件変動による不自然な動きを持つものでないため、表示器に対するユーザの信頼も格段に向上する。
【００４１】
ＴＹＰの表示は、ＭＩＮとＭＡＸとの間で、温度条件により（ある意味不自然に）変動する。例えば、ＥＶでは、ある一定の走行をさせてきたときにはバッテリ装置１００の温度が高いのでＭＡＸの側に振れてＴＹＰが表示される。対して、翌朝冷え込んでいれば、バッテリ装置１００の温度が低くなっており、始動直後、ＭＩＮの側に振れてＴＹＰが表示される。ＴＹＰの表示をも行う場合には、このような表示の動きの関係をユーザが学習することになり、ＴＹＰの表示の活用化を図ることもできる。
【００４２】
次に、図５は、図１中に示した電圧検出部２の変形例を示すブロック図である。この変形例の電圧検出部２Ａを用いれば、例えばＥＶの場合などで、走行時のみならず、停車時や停車充電時にも有効な、最悪条件下利用可能残り電荷量ＭＩＮと最良条件下利用可能残り電荷量ＭＡＸと（および現況条件下利用可能残り電荷量ＴＹＰ）を表示できるようになる。
【００４３】
上記の実施形態の説明では、記憶部４に記憶された情報は、定格放電電流時（または別の放電電流時）での端子間電圧を記述したものであるとしていた。したがって、これを用いて算出されるＭＩＮおよびＭＡＸ（加えてＴＹＰ）は、ＥＶであれば、走行時の状態を前提としたＭＩＮおよびＭＡＸ（加えてＴＹＰ）の算出である。逆に言うと、停車時や停車充電時においては、そのままでは、正しいＭＩＮおよびＭＡＸ（加えてＴＹＰ）の算出にならない。ひとつの対処としては、停車時や停車充電時においては、表示を無効にすることが考えられる。
【００４４】
別の対処としては、記憶部４として、上記説明の定格放電電流時（または別の放電電流時）での端子間電圧を記述したものを用意する以外に、停車時用として、開回路のとき（すなわち電流の入出力がないとき）の端子間電圧を記述したものを用意し、さらに、停車充電時用として、ある一定の（例えば定格の）充電電流時に得られる端子間電圧を記述したものを用意することが考えられる。そして、車両の状態により、参照する記憶部４を変更すれば、それにより正しいＭＩＮおよびＭＡＸ（加えてＴＹＰ）の算出を行い表示することができる。
【００４５】
さらに別の対処として挙げられるのが、この図５に示した変形例の電圧検出部２Ａを用いる場合である。この電圧検出部２Ａは、電圧検知部２ａ、電圧換算部２ｂを有する。バッテリ装置１００、温度検出部１、処理３ｂについては図１での説明と同じである。
【００４６】
電圧検知部２ａは、図１における電圧検出部２と同様な機能をもつ。電圧換算部２ｂは、電圧検知部２ａから出力された検知電圧が、停車時または停車充電時のものであるときに、この検知電圧を、バッテリ装置１００（ただし測定対象端子間）が上記説明の定格放電電流時（または別の放電電流時）にあると仮定したときのその端子間電圧に換算する機能を有する。換算された電圧が、処理３ｂに供せられる。
【００４７】
このような電圧換算は、図３に示したバッテリ装置一般の等価回路を考えれば容易である。すなわち内部抵抗ｒｉによる電圧降下は、停車時はゼロであり、停車充電時にはちょうど反対に生じる。そこで、停車時は、ｒｉによる電圧降下分を検知電圧から差し引き、停車充電時は、ｒｉによる電圧降下分の２倍（ただし、充電時電流と放電時電流との比の関係により異なる。同じであれば２倍）を検知電圧から差し引くことで、上記の電圧換算ができる。
【００４８】
ここで、内部抵抗ｒｉは温度により変動するので、温度検出部１からの検出温度を用いて内部抵抗ｒｉの値の特定（推定）を行う。その特定は、具体的には、例えば、温度と内部抵抗ｒｉとの対応表を電圧換算部２ｂ内にあらかじめ備えておき、温度検出部１からの検出温度を引数にこの表を参照することで内部抵抗ｒｉの特定（推定）ができる。表の参照により得られた値を内部抵抗ｒｉの値として用いて、上記の電圧降下を算出できる。
【００４９】
なお、図５に示したような電圧検出部２Ａによる電圧換算の考えを用いることで、以下のようなさらなる変形例を得ることができる。すなわち、記憶部４として、開回路のとき（すなわち電流の入出力がないとき）の端子間電圧を記述したもののみを備えておき、走行時、停車充電時については、温度検出部１からの検出温度を用いて内部抵抗ｒｉの値の推定を行い、電圧換算部２ｂで、内部抵抗ｒｉによる電圧降下分を考慮して開回路のときの端子間電圧に換算する。この換算の電圧を処理３ｂに供する。停車時については、このような換算を行わずに、検出電圧を処理３ｂに供する。
【００５０】
または、記憶部４として、ある一定の（例えば定格の）充電電流時に得られる端子間電圧を記述したもののみを備えておき、走行時、停車時については、温度検出部１からの検出温度を用いて内部抵抗ｒｉの値の推定を行い、電圧換算部２ｂで、内部抵抗ｒｉによる電圧降下分を考慮して充電電流時のときの端子間電圧に換算する。この換算の電圧を処理３ｂに供する。停車充電時については、このような換算を行わずに、検出電圧を処理３ｂに供する。
【００５１】
以上、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５２】
１…温度検出部、２，２Ａ…電圧検出部、２ａ…電圧検知部、２ｂ…電圧換算部、３…処理部、４…記憶部、５…表示部、１００…バッテリ装置、１０１…サーミスタ。
【図１】
2012047555.tif 000003
【図２】
2012047555.tif 000004
【図３】
2012047555.tif 000005
【図４】
2012047555.tif 000006
【図５】
2012047555.tif 000007